(57)【要約】【課題】天井面などに簡便かつ正確に取り付け得る火災警報器を提供すること。【解決手段】所望の設置面３に取り付けられる火災警報器１において、前記設置面１に固定されて警報器本体５が取り付けられる取付部材２に、固定部材４を挿通させる挿通孔１６と、前記固定部材４を仮保持し、支点Ｓを中心に回動して、前記固定部材４を前記挿通孔１６内に挿通可能な回動部材１３と、前記回動部材１３を回動自在に支持する軸受部材１２ａ、１２ｂと、を設けた。【選択図】図１
2008262395.tif 000002
【特許請求の範囲】
【請求項１】
所望の設置面に取り付けられる火災警報器において、
前記設置面に固定されて警報器本体が取り付けられる取付部材に、固定部材を挿通させる挿通孔と、
前記固定部材を仮保持し、支点を中心に回動して、前記固定部材を前記挿通孔内に挿通可能な回動部材と、
前記回動部材を回動自在に支持する軸受部材と、
を設けたことを特徴とする火災警報器。
【発明の詳細な説明】
【技術分野】
【０００１】
本発明は、天井や壁面等の所望位置に、簡便に取り付け得るように構成した火災警報器に関するものである。
【背景技術】
【０００２】
近年、防災意識の高まりから、一般家庭においても火災警報器やガス検知器等を設置するようになってきた。住宅用火災警報器を例に述べると、円板状の取付ベースや警報器本体、取付ネジ等がセットになって配送用の段ボール箱に収納されている。従来例として、次のような火災警報器を上げることができる（例えば、特許文献１、参照）。
【０００３】
即ち、前記警報器は、略円板状の取付ベースを天井等に固定し、この取付ベースに各種回路部品を組み込んだ本体を固定する構成になっている。そして、警報器を天井等に固定する場合は、先ず梱包から取付ベースや本体、十字穴付きタッピンネジ等の取付ネジを取り出す。次いで、取付ベースの貫通穴に取付ネジを挿通し、一方の手に持って設置面に対向させる。
【０００４】
この状態で、他方の手でドライバ等の工具を用いて取付ネジを回転させ、設置面に取付ベースをネジ止め固定する。この作業に続いて、固定された取付ベースに本体を被せるようにし、これを回動させて取付ベースに固定する。
【特許文献１】特開２００６−２４４４０８号公報
【発明の開示】
【発明が解決しようとする課題】
【０００５】
従来例では、火災警報器を例えば天井等に取り付ける場合は、梱包から取付ベース、警報器本体、取付ネジ等をそれぞれ取り出した後に、取付ベースに形成したネジ挿通孔に取付ネジを挿入し、一方の手で取付ネジが抜け落ちないように押えながら取付ベースを天井に押し付け、他方の手でドライバを使ってネジを締め付けていた。この作業は、一般ユーザが天井を向きながら行うものであり、非常にやりにくい作業であった。
【０００６】
しかも、前記作業は不慣れな者が不安定な脚立などの上で行うのであるから、取付ネジが斜めに締め付けられることもあり、この場合は取付ベースが天井面にぴったり沿わず、がたついてしまうこともあった。特に、住宅用火災警報器の設置を進めたい高齢者には難しい作業であった。
【０００７】
本発明は、前記問題点に鑑みてなされたものであり、その目的は天井面などに簡便かつ正確に取り付け得る火災警報器を提供することにある。
【課題を解決するための手段】
【０００８】
この発明は、所望の設置面に取り付けられる火災警報器において、前記設置面に固定されて警報器本体が取り付けられる取付部材に、固定部材を挿通させる挿通孔と、前記固定部材を仮保持し、支点を中心に回動して、前記固定部材を前記挿通孔内に挿通可能な回動部材と、前記回動部材を回動自在に支持する軸受部材と、を設けたことを特徴とする。
【発明の効果】
【０００９】
本発明は、前記のように構成したので、下記のような種々の効果を奏する。即ち、天井等の所望の設置面に取り付けられる取付部材に、固定部材を仮保持し、支点を中心に回動して、固定部材を挿通孔内に挿通可能な回動部材と、回動部材を回動自在に支持する軸受部材と、を設けたので、固定部材を回動させて挿通孔に対向させてから、挿通孔内に挿通させた後に、ハンマ等の工具で設置面に打ち込むという簡単な作業で取付ベース等の取付部材を天井等に取り付けることができる。また、取付ベースに固定部材が一体となっているので、梱包から取り出すときに、それぞれを探す手間が省ける。
【発明を実施するための最良の形態】
【００１０】
本発明者は、前記問題を解決するための研究、実験を重ねた結果、次のようにすればよいことが解った。即ち、取付部材に、支点となる軸受部材と、該軸受部材に軸支されて回動する回動部材とを設け、該回動部材に固定部材を仮保持するものである。この構成によれば、回動部材を回動させて固定部材を挿通孔に対向させてから、固定部材を挿通孔内に挿通させ、ハンマ等の工具で設置面に打ち込むことにより、取付部材を天井等に固定することができる。
【実施例】
【００１１】
以下に、本発明の第１実施例を図１〜図３を参照して詳細に説明する。火災警報器１を構成する取付部材２は、図１及び図２に示すように円板状に形成されている。取付部材２は、図１に示すように一般家屋の設置面、例えば、天井である石膏ボード３等の表面に、固定部材である釘４によって固定されている。そして、図１に示すように取付部材２を固定した後、下側から想像線（２点鎖線）で示すように警報器本体５を取り付け、火災警報器１の取り付けが完了する。
【００１２】
取付部材２は、合成樹脂を成型したものであり、中央部に位置決めピン６を挿通させるためのピン挿通孔７が形成され、円周方向に等間隔で３つの挿通孔１６が形成され、外側面には枠部８が設けられている。また、枠部８の内側には、それぞれ挿通孔１６に対向して、円周方向に等間隔で３個の取付機構１１が設けられている。
【００１３】
挿通孔１６は、図１に示すように、釘４の先端部の回動を許容する断面略扇形状であり、釘４の直径よりも若干大きい幅で形成される回動許容部１６ａを、取付部材２の内面側に有し、また、回動許容部１６ａに連通して、取付部材２の内側方向に傾斜する、釘４の直径よりも若干大きい直径の円筒状の円筒部１６ｂを、取付部材２の外面側に有する。
【００１４】
取付機構１１は、釘４を仮保持するものであり、また、釘４を回動させて、その先端部を挿通孔１６の円筒部１６ｂに対向させた状態で、挿通孔１６の円筒部１６ｂ内に挿通させて、釘４を石膏ボード３へハンマ等で打ち込み可能とするものである。取付機構１１は、取付部材２にネジ止め固定される一対の軸受部材１２ａ，１２ｂと、この軸受部材１２ａ，１２ｂに回動自在に軸支され、釘４を仮保持する回動部材１３を備えている。なお、支点Ｓとなる支点軸は、回動部材１３となる。
【００１５】
回動部材１３は、例えば樹脂製であって、円筒状の保持穴１３ａが設けられ、該保持穴１３ａ内には、釘４が仮保持されている。保持穴１３ａは、その内径が釘４の外径とほぼ同等か幾分狭く形成されていて、釘４がその長さ方向に移動可能となっている。なお、保持穴１３ａに弾性部材（Ｏリング等）を設けた構成としてもよい。
【００１６】
前記取付部材２を石膏ボード３に固定する場合、固定したい位置に取付部材２を当て付け、ピン挿通孔７から位置決めピンを差し込んで仮止めする。次に、図１に想像線で示す釘４の頭部を手指で摘んで図１に矢印Ａで示すように回動させて、釘４の先端部を挿通孔１６の円筒部１６ｂに対向させる。そして、釘４を挿通孔１６の円筒部１６ｂ内に挿通させ、ハンマ等の工具で石膏ボード３に釘４を打ち込む。この釘４の固定状態は、図１に実線で示されている。この打ち込み動作を各取付機構１１につき１回ずつ行うのみで、取付部材２を石膏ボード３に固定できる。最後に、取付部材２の下側から警報器本体５を取り付け、所謂ツイストロック嵌合により、警報器本体５の刃部（不図示）を取付部材２の刃受け部（不図示）に係合させて固定する。
【００１７】
以上に本発明の実施例を説明したが、固定部材としては釘に限定されず、ネジ等を利用することができる。また、取付機構１１において、軸受部材１２ａ，１２ｂを取付部材２と一体樹脂成型してもよい。
【図面の簡単な説明】
【００１８】
【図１】本発明の実施例１を示す火災警報器の断面図である。
【図２】取付部材の構成を示す平面図である。
【図３】取付機構を示す斜視図である。
【符号の説明】
【００１９】
１  火災警報器、２  取付部材、３  石膏ボード（設置面）、４  釘（固定部材）、５  警報器本体、１１  取付機構、１２ａ  軸受部材、１２ｂ  軸受部材、１３  回動部材、１３ａ  保持穴、１６  挿通孔、１６ａ  回動許容部、１６ｂ  円筒部。
【図１】
2008262395.tif 000003
【図２】
2008262395.tif 000004
【図３】
2008262395.tif 000005